Podtech/llm-jp-corpus-v4-ja_patent huggingface dataset:
(57)【要約】【課題】  オーディオ機器を改造する事無く、音楽信号ラインに接続し、音楽信号の全周波数帯域信号を整流し、音質特性を容易に改善する。【解決手段】  抵抗値及びワット数の異なる抵抗を複数個並列に配し合成する事で音楽信号に含まれる周波数帯域全体を整流し調整を行う。  又耐電圧、容量の異なるコンデンサーを並列に配し合成する事で、音量感を高め、抵抗のブロックと併用接続し組合せ、各システムに応じ、全周波数帯域特性並びに、音質の改善を図る。【選択図】  図３
2005057716.tif 000002
【特許請求の範囲】
【請求項１】
複数の異なるワット数及び抵抗値を持つ抵抗を並列に組み合わせたブロックとして、音楽信号の全周波数帯域特性を補正し、且つ整流する回路。
【請求項２】
複数の異なる容量（０．３ｎＦ〜４ｎＦ等）を持つコンデンサーを並列に配し組み合わせたブロックとし、音楽信号の全周波数帯域特性を補正し且つ音量感を調整する回路。
【請求項３】
請求項１及び２におけるブロックを組合せ接続し、各音響機器システムに応じて音質及び全周波数帯域特性改善、信号の整流を図る回路。
【請求項４】
前記回路は任意の音響装置機器間（プリアンプ及びパワーアンプ等）の音声信号のラインに組合せながら各システムに応じ複数組合せ、接続し調整する回路。
【発明の詳細な説明】
【技術分野】
【０００１】  本発明は、オーディオの音楽信号に対する整流及び周波数帯域特性改善に関する。
【背景技術】
【０００２】  プリアンプやパワーアンプなどの回路は通常一次側のボリュウムに入り、入力信号を回路にて増幅し再生特性をより向上させており。それら増幅させる一次側の入力信号自体並びに、機器固有（ボリュウム及び抵抗素子）の整流特性が増幅後、顕著に表れる為、アンプへの入力信号自体なども含め、其の物にクオリティーを要求されます。又各音響機器等固有の特性で接続時、高域寄や低域寄りに偏り、聞き疲れになるケースが有る。
【発明の開示】
【発明が解決しようとする課題】
【０００３】  機器自体の改造をしなくても、通常のＲＣＡ接続等に依り容易に全周波数帯域信号の整流や周波数帯域特性を改善し、素子自体の素直な音質信号に依り音質向上を図る。
【課題を解決するための手段】
【０００４】  ワット数の異なった固定抵抗において、ワット数が２Ｗ程では低い周波数、１Ｗ程では中域、０．５Ｗでは高域寄りなど、其々を用い各帯域の整流効果を得、又抵抗値が高い程、信号の整流効果が増す傾向を持ち、全周波数帯域に於いて、並列に配し組合せ、調整を行い、又ボリュウム抵抗とのバランスに応じ（例  トータル２ｋΩ前後に）調整を行う。【０００５】  又コンデンサー０．３ｎＦ〜４ｎＦ程を組合せ、容量が低いと高域へ、容量が増した物では中域へと強調され、又高域と中域の値の物を加えて行き容量自体の合計数値が５ｎｆに増えてくると低域も含め強調され周波数帯域全体の均等化を図り、並列に合わせたブロックとし、抵抗のブロックと組み合わせて調整を図る。
【発明の効果】
【０００６】  コンデンサーブロックでは音量感が増し中高域などのニュアンスが聴き取り易く、又抵抗ブロックでは、音楽信号の全周波数帯域の音質がシャープにメリハリを持つ。
【発明を実施するための最良の形態】
【０００７】  一次側へコンデンサーブロック、其の２次側に抵抗のブロックを接続する、又此れに限らず各システ厶の仕様においては組合せを変え、且つ機器間の接続個所を選び対応を図る。【０００８】「実施形態の効果」
全周波数帯域において音の臨場感や質感に影響を与え、又全周波数帯域特性のバランスを得、オーケストラなどバイメタルの広がりを得る。【０００９】「他の実施形態」
其々のコンデンサーブロックや抵抗ブロックのみでの調整でも効果が得られ、各調整用としてのブロックとし、各システムに応じた調整を行う。【００１０】  更に同じブロック同士のパターンを変えた物を増設接続する事で帯域特性に奥行き感を持たせたり出来る様にして、各システムに応じ調整する。【００１１】  又始めから抵抗とコンデンサーのブロックを一体化したベースタイプにし、各補正ブッロックを加え調整を図る。
【図面の簡単な説明】
【００１２】
【図１】ブロック装置の斜視図である。（片チャンネル用）
【図２】ブロック装置の斜視図である。（２チャンネル用）
【図３】本装置の回路構成図である。
【符号の説明】
【００１３】  １  並列式複数コンデンサーネットワーク
２  並列式複数固定抵抗ネットワーク
３  コンデンサーブロックと抵抗ブロックを組み合わせた一体型ネットワーク
４  音楽信号入力口
５  音楽信号出力口
【図１】
2005057716.tif 000003
【図２】
2005057716.tif 000004
【図３】
2005057716.tif 000005
(57)【要約】【課題】集積回路は年々回路規模が増大し、規模の増加に伴って検査時間は増加の一途をたどっている。また、その検査に必要とする入出力のピン数が、ユーザーが使用する分よりも多くのピン数を必要とする場合も発生し、パッケージや基板コストが増加する問題も生じている。【解決手段】上記課題を解決する為に、本発明の集積回路素子は、テストピンをパッケージのリードと同じ高さの底面に配置させる方法を考案した。集積回路素子は封止樹脂１、ユーザー使用のリード２、メーカーの出荷検査用の専用テストパッド４を構成する。【選択図】図１
2005057173.tif 000002
【特許請求の範囲】
【請求項１】
集積回路シリコンチップを内蔵し、前記シリコンチップからの入出力信号の一部を基板へ実装するリードに接続し、パッケージ底面にテストパッドを設け、前記シリコンチップのテスト検査用入出力信号の一部を前記テストパッドに接続した集積回路素子。
【請求項２】
集積回路シリコンチップを内蔵し、前記シリコンチップからの入出力信号の一部を基板へ実装するリードに接続し、パッケージ底面から浮かした位置にテストパッドを設け、前記シリコンチップのテスト検査用入出力信号の一部を前記テストパッドに接続した集積回路素子。
【発明の詳細な説明】
【技術分野】
【０００１】
本発明は、フロー実装可能なパッケージ、例えばＱＦＰ、ＳＯＰやＤＩＰ等に、大規模集積回路や複数の集積回路チップを１つにモールドした半導体の、パッケージ構造に関するものである。
【背景技術】
【０００２】
集積回路素子は年々回路規模が増大している。近年１チップに全てを盛り込む技術だけでなく、複数の集積回路チップを水平、或いは垂直に配置する技術も実用化され出した。
【０００３】
こうした中で大きな課題となっているのが素子の検査方法である。素子の検査は、個々の回路を動作させて、それを外部に出力させ、期待値との照合をし、良否の分別を行っている。これらの作業は相当な作業量であり、回路規模の増加に伴って検査時間は増加の一途をたどっている。また、その検査に使う入出力のピンが、ユーザーが使用する分よりも多くのピン数を必要とする場合も発生してきた。個々の回路を動作させてはそれを外部へ出力させなければいけないからだ。  
【０００４】
こうした課題に対して、例えば文献１の新型パッケージが考案されている。図４及び図５は、課題に対して考案された文献１に基づく半導体新型パッケージ２種である。片方は底面図、もう片方は外形図で表している。図４と図５はＩＣパッケージ、２はユーザーが使用する外側リード、３はメーカーの出荷テストに使用する内側リードを表す。
【特許文献１】特開平０５−２１１２０４号公報
【発明の開示】
【発明が解決しようとする課題】
【０００５】
しかしこのような構造は、ピン数が増加するのでパッケージの面積を大きくさせてしまい、パッケージコストだけでなく回路基板もコストアップさせる欠点があった。  又、リード線の曲げ向きを交互に変えることはパッケージとしても高コスト要因である。
【課題を解決するための手段】
【０００６】
上記課題を解決する為に、本発明の集積回路素子は、テストピンをパッケージのリードと同じ高さの底面に配置させる方法に関するものである。図１はこの方法によるパッケージ構造の底面図兼説明図である。
【０００７】
図１で、１は封止樹脂、２はユーザー使用のリード、４はメーカーの出荷検査用の専用テストパッドである。この場合、メーカーはＩＣのリード２とテストパッド４を出荷検査の為に効率よく使う。ユーザーはリード２だけを接続して使用する。ユーザーはテストパッド４を使用しないので、素子底面の配線は、テストパッド４迂回させて配線すれば良い。
【発明の効果】
【０００８】
本発明の集積回路素子により、上記構成を有することで、パッケージの大きさを維持させながらコストの増加を抑え、且つ、回路基板のコストも維持させることができる。  
【発明を実施するための最良の形態】
【０００９】
以下本発明の実施の形態を、図面を参照しながら説明する。
【００１０】
（実施の形態１）
図１は本発明の集積回路素子の底面図の一例である。１は封止樹脂、２はユーザー使用のリード、４はメーカーの出荷検査用の専用テストパッドである。リード２とテストパッド４は、封止樹脂１の中のシリコンチップから接続されたものである。ユーザーはリード２だけを接続して使用する。テストパッド４は使用しないので、素子底面での基板配線は、迂回させて配線すれば良い。ユーザーから見れば、端子の少ない扱い易い集積回路素子と映る。
【００１１】
一方、集積回路の製造会社は、ＩＣ出荷検査で、リード２とテストパッド４を、効率よく利用して、集積回路の検査に活用する。集積回路が大規模になると、個々の検査に項目が増えるので検査時間も比例して増大する。又検査回路切替に複数の制御信号が必要になり、より多くのピン数を必要とする場合もある。これらを回避する方法に、パッケージのピン数を増やす方法がる。複数の同時検査を行う事が可能で、同時検査速度が向上する。ピン数の少ないパッケージではそれが実現困難であったが、本発明は、テストに限定したパッドを新たに設ける為に可能である。又、パッケージコストも抑えることが可能となる。
【００１２】
図２は本発明の集積回路素子の断面図の一例である。１は封印樹脂、２はユーザー使用のリード、４はメーカーの出荷検査用の専用テストパッド、５はワイヤー、６は集積回路本体であるシリコンチップ、７は内部パッド、８は内部リードである。
【００１３】
（実施の形態２）
図３は（実施の形態１）で示した集積回路素子からの相違点を示した図である。図１のテストパッド４をパッケージの底面から浮かし、スペースを確保した点が異なる。この違いによって、例えばパッケージの底面下の基板配線が、テストパッド４を考慮せずに自由に基板設計が可能となる。
【産業上の利用可能性】
【００１４】
このような集積回路素子の構造を採用したので、大規模な集積回路やＳＩＰのような複数の集積回路チップを水平、或いは垂直に配置した集積回路でも、ＤＩＰやＳＯＰのようなピン数の小さくコストの小さいパッケージで、テスト検査が確実に早く行えるような効果がある。また、ピン数の小さなパッケージの採用によって、基板も多層基板から両面基板や片面基板へのコスト削減が可能、そしてリフロー限定であったものがフロー実装も可能になる。
【図面の簡単な説明】
【００１５】
【図１】半導体パッケージの本案の底面図
【図２】半導体パッケージの本案の断面図
【図３】実施形態２の実施形態１との相違図
【図４】半導体パッケージの従来例１の底面図
【図５】半導体パッケージの従来例２の外形図
【符号の説明】
【００１６】
１    封止樹脂
２    外側のリード
３    内側のリード
４    専用テストパッド
５    ワイヤー
６    シリコンチップ
７    内部パッド
８    内部リード
【図１】
2005057173.tif 000003
【図２】
2005057173.tif 000004
【図３】
2005057173.tif 000005
【図４】
2005057173.tif 000006
【図５】
2005057173.tif 000007
(57)【要約】      （修正有）【課題】  障害者および要介護者の着装、装着が簡単に出来ることによって、介護者の負担を軽減し、しかも着用時には上着の外見、輪郭を全く崩すことのない袖付きの上着を提供する。【解決手段】  山袖１Ａと下袖１Ｂの縫目線の袖口４Ａから、前身頃２Ａと細腹２Ｂの縫目線の脇３Ｃまでの間を表地、裏地ともに一本のファスナーで縫合することによって、袖口４Ａから脇３Ｃまでの間を開閉自在にし、極めて着装、脱着を容易にした。【選択図】          図１
2005036346.tif 000002
【特許請求の範囲】
【請求項１】
1Aの山袖とlBの下袖の縫目線の延長線上に2A前身頃と2B細腹との縫目線を求め、3Aから3Bまでの縫目線を一線上にすることとし、3Bから3Cと3Aから4A縫着し、3Cから4Aまでの間を表地、裏地ともに一本のファスナーで縫合することによって、3Cから4Aの間を開閉自在にすることを特徴とした袖付きの上着
【発明の詳細な説明】
【技術分野】
【０００１】
本発明はスーツの上着、替え上着において、障害者、要介護者に対して装着介護者の装着時における負担を軽減するための袖付きの上着に関するものである
【背景技術】
【０００２】
従来の袖付き上着においては、アームホールを大きくしたり、脇周辺に伸縮性の素材を施すものであった
【発明の開示】
【発明が解決しようとする課題】
【０００３】
従来の袖付き上着では、袖に腕を通すことは要介護者、装着介護者にとって非常に負担が大きいものであった
【０００４】
そこで本発明は上記の課題を解決するもので、着装時における要介護者、装着介護者の負担を軽減し、しかも着用時には上着の外見、輪郭を全く崩すことのない上着を提供することが目的である
【課題を解決するための手段】
【０００５】
このため、本発明は1Aの山袖と1Bの下袖の縫目線の延長線上に2A前身頃と2B細腹との縫目線を求め、3Aから3Bまでの縫目線を一線上にすることとし、3Bから3Cと3Aから4Aを縫着し3Cから4Aの間を表地、裏地ともに一本のファスナーで縫合することによって、3Cから4Aの間を開閉自在に出来るものとしている
【発明の効果】
【０００６】
本発明の上着は内見、外見を損なわず、しかも上着の輪郭を崩すことのない上着として、障害者自らが着装可能であり要介護者、装着介護者の負担が大幅に軽減される
【発明を実施するための最良の形態】
【０００７】
本発明の上着を着装する場合には、ファスナーによって縫合されたところの、袖口から脇までの間を開口し、開口された脇より腕を出して輪状になっている袖口に手首を入れた後、ファスナーを閉じることによって、袖に腕を通した状態となり極めて容易に装着することが出来る
【実施例１】
【０００８】
本発明の実施例1を図面によって説明する
【０００９】
本発明の上着として示した図2はスーツの上着であり、図は袖を斜め上方に上げファスナーを開いた状態である
【００１０】
着装、装着時には袖を斜め下方に降ろし、脇の開口部より腕を出して輪状の袖口に手首を通してファスナーを閉じ、脱着時にはファスナーを開いて袖口から手首をはずせば容易に脱着することが出来る
【図面の簡単な説明】
【００１１】
【図１】袖を斜め上方に上げた側面図
【図２】ファスナーを開いた状態の図
【符号の説明】
【００１２】
1A:山袖
1B:下袖
2A;前身頃
2B:細腹
2C:後身頃
3A:袖口縫着点
3B:裾縫着点
3C:ファスナー取付点
4A:ファスナー止点
【図１】
2005036346.tif 000003
【図２】
2005036346.tif 000004
(57)【要約】【課題】展張・保持する布地の任意の部位に染色可能ならしめる刺繍枠装置の提供。【解決手段】外枠１２の上側を覆う布地２０を内枠１４でもって下方向に押さえることにより前記外枠１２の内周面と前記内枠１４の外周面との間で前記布地２０を挟着し、もって前記布地２０が前記内枠１４の下側を遮蔽する態様で展張されるようにしてなる刺繍枠装置において、前記布地２０が補助枠１８により上方向に押圧されて、前記内枠１４の内周面と前記補助枠１８の外周面との間で前記布地２０を挟着すると共に前記布地２０の展張状態が前記内枠１４の上側と略面一となるようにしたこと。【選択図】      図３
2005036330.tif 000002
【特許請求の範囲】
【請求項１】
外枠の上側を覆う布地を内枠でもって下方向に押さえることにより前記外枠の内周面と前記内枠の外周面との間で前記布地を挟着し、もって前記布地が前記内枠の下側を遮蔽する態様で展張されるようにしてなる刺繍枠装置において、前記布地が補助枠により上方向に押圧されて、前記内枠の内周面と前記補助枠の外周面との間で前記布地を挟着すると共に前記布地の展張状態が前記内枠の上側と略面一となるようにされた、刺繍枠装置。
【発明の詳細な説明】
【０００１】
【発明の属する技術分野】
本発明は、刺繍枠装置に関する。
【０００２】
【従来の技術】
周知のように、刺繍枠装置は、外枠と内枠を備えており、外枠の上側を覆う布地を内枠でもって下方向に押さえることにより外枠の内周面と内枠の外周面との間で布地を挟着し、もって布地が内枠の下側を遮蔽する態様で展張されるようになっている。かような刺繍枠装置が刺繍ミシンに装填され、布地に刺繍が施される。また、かような刺繍枠装置が刺繍・染色ミシン（特許文献１に開示）に装着されたときは、布地に刺繍及び／又は染色が施される。
【０００３】
【特許文献１】
特開平５−２７２０４６号公報  （第１〜４頁、図１〜１０）
【０００４】
【発明が解決しようとする課題】
ところが、従来の刺繍枠装置に展張された布地に刺繍及び染色を施し場合や染色のみを施す場合、実用上問題がある。すなわち、上記したように、従来の刺繍枠装置においては、布地は内枠の下側を遮蔽する態様で展張されるので、刺繍のための針や染色のための印字ヘッドは、内枠の内周に対して移動する。しかして針は細いので内枠の内周に対して相対移動しても内枠と干渉することはないにせよ、印字ヘッドは相応の太さがるので、内枠に対して目一杯移動できず、展張された布地の周辺部の染色は出来なかった。
【０００５】
それ故に、本発明は、かような不具合が惹起されない刺繍枠装置を提供することを、その技術的課題とする。
【０００６】
【課題を解決するための手段】
上記した課題を解決するために、請求項１において講じた技術的手段は、外枠の上側を覆う布地を内枠でもって下方向に押さえることにより前記外枠の内周面と前記内枠の外周面との間で前記布地を挟着し、もって前記布地が前記内枠の下側を遮蔽する態様で展張されるようにしてなる刺繍枠装置において、前記布地が補助枠により上方向に押圧されて、前記内枠の内周面と前記補助枠の外周面との間で前記布地を挟着すると共に前記布地の展張状態が前記内枠の上側と略面一となるようにしたことである。
【０００７】
【発明の実施の形態】
以下、添付図面に依拠して、本発明にかかる刺繍枠装置の一実施形態について説明する。
【０００８】
図１において、刺繍枠装置１０は、外枠１２及び内枠１４を備える。しかして、布地２０が外枠１２の上側を覆っているとき、この布地２０を内枠１４でもって下方向に押さえると、外枠１２の内周面と内枠１４の外周面との間で布地２０が挟着され、布地２０が内枠１４の下側を遮蔽する態様で展張されるようになる。かように展張された布地２０は、刺繍枠装置１０が、例えば上記した刺繍・染色ミシンに装填されたとき、ミシンベッドに近接配置され、内枠１４の内部に対して相対移動する針により、刺繍がなされる。
【０００９】
図２に示されるように、刺繍枠装置１０は、外枠１２及び内枠１４のほか、保持具１６及び補助枠１８を備える。保持具１６は、補助枠１８を軸方向摺動可能に保持するものであって、保持具１６の上端面が内枠１４の下端面と共同して布地２０を挟んでいる間、補助枠１８を上方に押し出すと、展張された布地２０は、上方に押し出されて、図３に示されるように、更に展張度を増した状態で、内枠１４の上端面と略面一となる。刺繍枠装置１０を図３に示す状態に齎した後に、再度、ミシンに装填された場合、布地２０の上面に沿う水平方向には部材は存在しないので、布地２０の任意の位置に、図示されない印字ヘッドから噴射されるインキにより、染色がなされる。
【００１０】
【発明の効果】
上に述べたところ明らかなように、本発明は、外枠の上側を覆う布地を内枠でもって下方向に押さえることにより前記外枠の内周面と前記内枠の外周面との間で前記布地を挟着し、もって前記布地が前記内枠の下側を遮蔽する態様で展張されるようにしてなる刺繍枠装置において、前記布地が補助枠により上方向に押圧されて、前記内枠の内周面と前記補助枠の外周面との間で前記布地を挟着すると共に前記布地の展張状態が前記内枠の上側と略面一となるようにしたことである。これにより、布地の上面に沿う方向には障害物は存在せず、印字ヘッドは無制約に移動できて、布地の任意の位置に、図示されない印字ヘッドから噴射されるインキにより、染色をなすことが出来る。
【図面の簡単な説明】
【図１】本発明にかかる刺繍枠装置に、最初に、布地を展張したときの説明図である。
【図２】図１に示す刺繍枠装置に補助枠を追加・使用するときの説明図である。
【図３】図１に示す刺繍枠装置において、内枠の上側と略面一となるように、布地が展張されたときの状態を示す説明図である。
【符号の説明】
１０・・・刺繍枠装置
１２・・・外枠
１４・・・内枠
１６・・・保持具
１８・・・補助枠
２０・・・布地
【図１】
2005036330.tif 000003
【図２】
2005036330.tif 000004
【図３】
2005036330.tif 000005
(57)【要約】【課題】  食器などを洗浄する時、手の皮膚を完全に保護し、タワシやスポンジなどを使用する事なく、汚れをれを容易に除去できて、作業を便利にする炊事用の織布付き防水手袋を提供する。【解決手段】  炊事用の防水手袋（１）の洗浄作業に必要な部位の表面に、タワシやスポンジなどと同様の役目を果たす化学製織布（２）を設けた事を特徴とする。【選択図】  図１
2005036370.tif 000002
【特許請求の範囲】
【請求項１】
防水手袋（１）の表面に化学製織布（２）を設けた炊事用の織布付き防水手袋。
【発明の詳細な説明】
【発明の詳細な説明】
【技術分野】
【０００１】  この発明は、食器などを洗浄する時に使用する防水手袋に関するものである。
【背景技術】
【０００２】  従来より防水手袋をはめて食器などを洗浄する時、手袋をはめた手にタワシやスポンジなどを持って作業する。
【発明が解決しようとする課題】
【０００３】  これは次のような欠点があった。イ、手袋をはめてタワシやスポンジなどを持って洗浄作業をする時、手の動作が非常に不器用な状態になり不便である。ロ、スポンジやタワシなどを握っていると、指を自由に使う事ができ難く、細かい部分の汚れを除去するのが困難で、不自由で面倒である。本発明は以上の欠点を解決するためになされたものである。
【課題を解決するための手段】
【０００４】  防水手袋（１）の表面で、洗浄するときに必要な部位に、化学製織布（２）を設ける。  本発明は以上のような構成よりなる炊事用の織布付き防水手袋である。
【発明実施の形態】
【０００５】以下、本発明の実施の形態を説明する。防水手袋（１）の表面に設けた織布（２）は、タワシやスポンジなどと同様の役目を果たすものである。  本発明は以上のような構成よりなっている。  本発明を使用する時は、手袋を手にはめ、掌部分の織布（２）に洗剤を付け、食器などを擦る。細かい部分の汚れは指先を使って擦る。
【発明の効果】
【０００６】  本発明を使用する事によって、タワシやスポンジなどを使用しないため、指も自由に動かせるから、細部の汚れも容易に除去出来る。従って、絶対に手袋を必要とする手の皮膚の弱い人、特にアレルギー体質で洗剤による皮膚の損傷の激しい人、或いは手に傷の有る人などは、それを完全に保護しながら、気軽く手早く作業が出来る。又飲食業など沢山の食器を洗浄する人も手荒れを防止し、更に、スポンジなどを持ったり置いたりする手間がいらず、作業が速やかに進行し、非常に便利で有効である。
【図面の簡単な説明】
【図１】 
【符号の説明】
本考案の正面図１、防水手袋２、化学製織布
【図１】
2005036370.tif 000003
(57)【要約】【課題】  本発明は、圧迫感なく頭にフィットするようにサイズを調節できる帽子。しかも調節箇所に生地の欠除部分が無く、そこから髪の毛が見えることのない帽子を提供する。【解決手段】  帽子の上面側部２箇所（３〜４、１１〜１２）は縫合されているが、帽子の側面後部２箇所（４〜５、１２〜１３）を縫い合わせず、留め具である７、１５を移動することによって自由にサイズを調節できる。９と１０、１７と１８の部分を二重にすることによって帽子の隙間から髪の毛が見えなくなる。また、後部１箇所で調節する場合は帽子の調節箇所に、伸縮によるしわやたるみが発生しやすいが、左右２箇所で調節するため伸縮による歪みが少ない。【選択図】  図１
2005036367.tif 000002
【特許請求の範囲】
【請求項１】
帽子の上面側部２箇所（３〜４、１１〜１２）は縫合されているが、側面後部２箇所（４〜５、１２〜１３）は縫い合わせず、９の部分の外側に１０の部分を重ね、１７の部分の外側に１８の部分を重ねて、自由に調節できるようにしたフリーサイズ帽子。
【請求項２】
留め具７を８ａに、留め具１５を１６ａに結合すれば帽子のサイズが広くなり、７を８ｂに、１５を１６ｂに結合すればサイズが狭くなるフリーサイズ帽子。
【発明の詳細な説明】
【技術分野】
【０００１】  本発明は、頭に合わせてサイズを調節することができるフリーサイズ帽子に関する。
【背景技術】
【０００２】  従来のサイズを調節するフリーサイズの帽子には、後部１箇所で調節するものがあるが調節部分には半円形の生地の欠除部分があり、帽子の内側が見えてしまう。帽子を着用した場合はその部分から髪の毛が見えてしまい、見栄えがよくない。
【発明の開示】
【発明が解決しようとする課題】
【０００３】  ひとつの帽子で自由に頭のサイズに合うように調節でき、帽子の調節部分から髪の毛が見えないように、生地の欠除部分の無いフリーサイズの帽子を提供する。
【課題を解決するための手段】
【０００４】  帽子の上面側部２箇所（３〜４、１１〜１２）は縫合されているが、側面後部２箇所（４〜５、１２〜１３）は縫い合わせす、９の部分の外側に１０の部分を重ね、１７の部分の外側に１８の部分を重ねて、自由に調節できるようにした。【０００５】  留め具７を８ａに、留め具１５を１６ａに結合すれば帽子のサイズが広くなり、７を８ｂに、１５を１６ｂに結合すればサイズが狭くなる。
【発明の効果】
【０００６】  従来のフリーサイズの帽子で後部１箇所で調節するものがあるが、調節部分には調節上必要であるための半円形の生地の欠除部分があり、その部分から髪の毛が見えてしまい、見栄えがよいとは思えない。本発明の帽子は調節部分を側面にして、さらに生地を二重にすることによって隙間から髪の毛が見えない。【０００７】  後部１箇所で調節する場合は帽子の調節箇所に、伸縮によるしわやたるみが発生しやすいが、左右２箇所で調節するため伸縮による歪みが少ない。後方から見ても、ひさしを前にして装着する場合も形が自然である。
【発明を実施するための最良の形態】
【０００８】    以下、本発明の実施の形態を図１〜図５に基づいて説明する。
【実施例】
【０００９】  図１は、本発明の斜視図であって、図４は、平面展開図である。帽子の上面側部２箇所（３〜４、１１〜１２）は縫合されているが、側面後部２箇所（４〜５、１２〜１３）は縫合せず、９の部分の外側に１０の部分を重ね、１７の部分の外側に１８の部分を重ね、留め具７を８ａから８ｂのいずれかに結合し、留め具１５を１６ａから１６ｂのいずれかに結合することによってサイズの調整が自由にできる。また９と１０、１７と１８の部分は二重になるため、生地を薄くしてもよい。【００１０】  図２のように留め具７を８ｂに、１５を１６ｂに結合すればサイズが狭くなり。図３のように留め具７を８ａに、１５を１６ａに結合すれば帽子のサイズが広くなる、また９と１０、１７と１８の部分の一部にベルクロファスナー（商標名）を付けることにより、二重になった部分を密着することができる。留め具はボタン、スナップ、調節バンド、フック等でもよいことは勿論である。
【図面の簡単な説明】
【００１１】
【図１】フリーサイズ帽子の斜視図である。
【図２】本発明のサイズを縮めたときの側面図である。
【図３】本発明のサイズを広げたときの側面図である。
【図４】フリーサイズ帽子の平面展開図である。
【図５】フリーサイズ帽子の平面図である。
【符号の説明】
【００１２】    １  クラウン部
２  ひさし部
３〜４  縫合線
７、１５  留め具
９、１７  二重部分の内側
１０、１８  二重部分の外側
１１〜１２  縫合線
【図１】
2005036367.tif 000003
【図２】
2005036367.tif 000004
【図３】
2005036367.tif 000005
【図４】
2005036367.tif 000006
【図５】
2005036367.tif 000007
(57)【要約】【目的】  この発明は母趾以下小趾の横紋から横アーチの足底に底部の形のパットを作り、そのパットを靴下本体に張り合わせ、この靴下を履く事で足横アーチ底部が安定し足趾、足底の屈曲運動の出来るパット及び靴下を提供することを目的とする。【構成】  母趾以下小趾の横紋から母趾第１趾付根から第５趾付根横アーチの底部に、底形に成形したパットを靴下本体に張り合わせ、横アーチの安定と足趾、足底の屈曲運動の為に、穿孔有るかつ柔軟性を備えた事を特徴とする。【選択図】  図１
2005036368.tif 000002
【特許請求の範囲】
【請求項１】
靴下の足底に張り合わせるシート状基体が、多数の穿孔若しくは突起或いは幾何状を有して柔軟性を有するパット。
【請求項２】
母趾以下小指の付根の横シワ（横紋）から、第一趾付根より第五趾付根の横アーチの底部に密着するように形成されたパットを、靴下本体に張り合わせた靴下。
【発明の詳細な説明】
【発明の詳細な説明】
【産業上の利用分野】
【０００１】  この発明は足底、横アーチの形に穿孔されたパットを靴下に張り合わせ足趾、横アーチ、縦アーチの屈曲運動、矯正の出来るパットと、そのパットを靴下本体に張り合わせ屈曲運動、矯正の出来る靴下に関する。
【背景技術】
【０００２】  履物の特に底部は色色の方法で、外反母趾、偏平足、開張足、Ｏ脚などの多くの方の悩みを少なくする為に、多様の研究をなされ作られている。靴下も同じく爪先部にパットを付けて滑らないパット付き靴下、靴下の底の外側部分にクッションパットを付けた物、足に合わせてフイットして履き心地を良くした物、足裏の土踏まずを刺激するパット付き靴下などなど数え切れない数であるが、すべて足趾、足底、足全体の固定と刺激の効果とその部分だけの為のパットの為、長時間の着用は難しい、思ったより効果的でない、違和感が多い、子供から高齢者まで安心して履けない、等など足趾、足底の屈曲運動、足底の筋肉強化、矯正に効果的な靴下は難しく従来の現状である。
【発明が解決しようとする課題】
【０００３】  この発明は母趾以下、小趾の横シワ（横紋）から、第一趾付根より第五趾付根の横アーチの底部の形のパットを作り、そのパットを靴下本体に張り合わせその靴下を履く事で足趾、足底の屈曲運動、足底の筋肉強化、矯正の出来るパットを得る為に研究を重ねた。
【課題を解決するための手段】
【０００４】  母趾以下小趾の横シワ（横紋）から、第一趾付根より第五趾付根の横アーチの底部に密着するように、図１の様に成形されたパットを、靴下本体に、図２の様に張り合わせ、その靴下を履く事で横アーチの底部の安定と足趾、横アーチ、縦アーチの屈曲運動、足底の筋肉強化、矯正の目的に合うことを突き止め発明を完成することが出来た。
【作用】
【０００５】  この発明のパット付き靴下を、足の横アーチに合わせて履く事で身体の重みでパットに横アーチ底部が密着し、さらには穿孔された穴に皮膚が押し出され、安定し横アーチを支軸に足趾、横アーチ、縦アーチの屈曲運動が自然にスムーズな行動が出来る。この屈曲運動は歩きながら或いは立ち姿勢、椅子に腰掛けた姿勢でも実施することが出来る。
【実施形態】
【０００６】  図に基づいて説明する。図１は足底横アーチに合わせたパットに穿孔された一例の斜視図である。図２はパットを靴下に張り合わせた左底平面である。図１乃至図２に示す如くパットは母趾以下小趾横シワ（横紋）から母趾第１付根より第５趾付根の横アーチ底部の形に成形したパットに複数の穿孔、或いは突起、或いは幾何学状を施し靴下本体の横アーチ底部に張り合わせて完成した靴下を、足底横アーチに合わせて履くと穿孔されたパットに、足底の皮膚が体重で押し出され密着され靴下は動くことなく横アーチ足底部が安定し、その足底を支軸として第１趾から第５趾にかけての屈曲運動が容易に出来る。よって横アーチ縦アーチも屈曲運動が自発的な行為になる。さらには足親趾以下５趾の強化が一段と向上し足底全体の矯正にもつながる。それを要約すれば毋趾以下小趾横シワ（横紋）から母趾第１付根より第５趾付根の横アーチ底部の形に成形し穿孔あるパットを靴下本体に張り合わせ足底、横アーチに合せて履く事で足底横アーチが安定し足趾、横アーチ縦アーチの屈曲運動が効果的に行い得るパット及び靴下である。
【別実施形態】
【０００７】▲１▼    以下に他の実施形態を説明する。図１のパットは靴下に張り合わせるだけでなく履物中底（インソール、）中敷、スリッパ、サンダル、下駄等の横アーチ底部に張り合わせ実施すると実施形態の如く効果的に使うことが出来る。
▲２▼    パットは図１の成形、穿孔だけでなく多くの人の足底に合うように母趾以下小趾の横シワ（横紋）線上を直線或いは曲線に成形することも出来る。また図１の穿孔は大小の穿孔、大小の突起、凸凹の幾何状を効果的で使い易い方法を選択することが出来る。
▲３▼    図１のパットは基本的な形で穿孔されたパットで形や、穴、突起、幾何状だけでなくパットの厚みによって屈曲運動に多く関わってくる。好ましくは０．５ｍｍ−１ｍｍ前後で短時間のトレーニングなどでは厚みの有るパットの方が足趾、特に親趾の動きがスムーズになり効果的な屈曲運動が出来足趾、足底の筋肉強化に適する。
▲４▼    パットの装着は被着、縫着、伸縮性接着剤、給糸本体一体、塗着も出来る。
▲５▼    パット素材は布、革、木肌、植物葉、紙、不織布製、ゴム、合成ゴム、発泡スチロール、漆、カシュ等で柔軟性の有る素材であれば任意出来る。
【発明の効果】
【０００８】  この発明はパットの付いた靴下を履く事で、横アーチの底部にパットが密着して横アーチが安定し足趾、横アーチ、縦アーチの屈曲運動が効果的に行い得る。
よって足趾、横アーチ、縦アーチ、脚の筋肉強化につながる。
【図面の簡単な説明】
【図１】  パットの一例の斜視図である。
【図２】  パットを靴下本体に張り合わせた右底平面図である。
【符号の説明】
１…パット        ２…パットを張り合わせた靴下
３…穿孔
【図１】
2005036368.tif 000003
【図２】
2005036368.tif 000004
(57)【要約】【課題】  この発明は、Ｔシャツ・ブラウス類の裾に装着して着丈と身頃の横幅を調整することにより、衣服の外形を変化させて装いの不調和を解消する装身具に関するものである。【解決手段】  枠状の本体（１）中央部に横軸（２）があり、横軸（２）とその背面に位置する支持部（３）とが任意の間隙を形成し、本体（１）の下辺とその背面に位置する支持部（４）とが、任意の間隙を形成していることを特徴とする。【選択図】図１
2005036366.tif 000002
【特許請求の範囲】
【請求項１】
枠状の本体（１）中央部に横軸（２）があり、横軸（２）とその背面に位置する支持部（３）とが任意の間隙を形成し、本体（１）の下辺とその背面に位置する支持部（４）とが、任意の間隙を形成する。
以上の如く構成された、衣服の着丈・身幅調整装身具。
【請求項２】
支持部（３）を弾性を有するひも（５）にした、請求項１の衣服の着丈・身幅調整装身具。
【発明の詳細な説明】
【技術分野】
【０００１】  この発明は、衣服の着丈と身頃の横幅を調整して装いの不調和を解消する装身具に関するものである。
【背景技術】
【０００２】  従来、Ｔシャツ・ブラウス類の裾を出した状態で着用したい場合、着丈や身頃の横幅のバランスが悪くとも、裾を結んだり個人で再加工をする方法しかなく、身体の線が強調されたり手間や工料がかかる不便さがあった。特に、身長が低く肥満傾向にある場合、身体の幅に合わせると着丈が長過ぎる既製品が極めて多いにもかかわらず、手軽に調整できる用具は無かった。
【発明の開示】
【発明が解決しようとする課題】
【０００３】  この発明は、Ｔシャツ・ブラウス類の裾に装着して着丈と身頃の横幅を調整することにより、衣服の外形を変化させて装いの不調和を解消するものである。
【課題を解決するための手段】
【０００４】  これを図面について説明すれば、
枠状の本体（１）中央部に横軸（２）があり、横軸（２）とその背面に位置する支持部（３）とが任意の間隙を形成し、本体（１）の下辺とその背面に位置する支持部（４）とが、任意の間隙を形成する。
以上の如く構成される。
【発明の効果】
【０００５】  図４に示すとおり、装着することにより着丈の一部が持ち上がって程良いドレープが寄り、衣服の外形が変化する為、身体の線が強調されることなく装いの不調和を解消する。不要な要素である絞った裾の先端を裏側に固定して隠すことで、装いをすっきりまとめる。ピンを使用したり裾を結ぶ等で外形を変化させる応急処置的な印象と異なり、装いの一要素として統一感のあるお洒落を演出できる。また、衣服の裾に装着するという仕様は装身具として新鮮であり、個性を表現する従来にないアクセサリーとして、装身具の新しい楽しみ方を提供する。様々なＴシャツ・ブラウス・ニット類に使うことができるうえ、衣服そのものを加工しないので、簡単に本来の外形に戻すことが可能である。手軽に装着できる構造であるが、さらに支持部（３）を弾性を有するひも（５）にすれば、高齢者をはじめとする目や指先の利きにくい方にも一層使い易くなる。
【発明を実施するための最良の形態】
【０００６】  以下、本案を実施するための最良の形態について説明する。
Ｔシャツ・ブラウス類の裾の一部をつまみ、枠状の本体（１）上部の背後から挿し通し、中央の横軸（２）の前を通して、本体の下辺とその背面の支持部（４）との間隙に通して裾を絞る。絞った裾の先端部分を本体の裏面に持ち上げて、横軸（２）とその背後の支持部（３）との間を下からくぐらせて固定する。本体と横軸、支持部との構成は、衣服の裾の一部を挿通させる構造であれば、図１のように支持部（３）を屈折もしくは湾曲して平面的な本体（１）から突出させてもよく、図２のように本体（１ａ）が湾曲し支持部（３ａ）（４ａ）がまっすぐでもよく、それらは本体の形状によって変化する。本体は、衣服の裾に安定してとどまるよう軽量の合成樹脂、木材、金属等適宜素材を使用し、形状は三角形・四角形・多角形・円形およびハート型等の不定形が考えられるがこれに限定されない。また支持部（４）は、本体の形状によっては本体の下辺に添っていなくともよく、（４ａ）のように本体の下辺に相当する任意の位置の背面に設けられていればよい。なお本体表面に、皮革、布、毛皮、ビーズ等、様々な装飾材を貼着するか、裾の挿通の妨げにならないように被覆することにより、装身具としての装飾性を高めることができる。【０００７】  なお本発明の実施にあたって次のことができる。
支持部（３）を弾性を有するひも（５）にすることで、裾の先端部分が固定し易くなる。この場合、ひもの弾性が衣服の裾の先端部分の挿通を可能にする為、本体の形状によっては、横軸（２）とひも（５）との間に間隙が不要となる。ひもは、絞った裾の先端を挿通させ固定しておける弾力と長さを備えて横軸の背面に位置していればよく、間隙は本体の形状によって変化する。また、ひもの取り付け手段は図３のように裏面の任意の位置にひも留め（６）を設ける等が考えられるが、これに限定されない。
【図面の簡単な説明】
【０００８】
【図１】本発明の斜視図である
【図２】本発明の斜視図である
【図３】本発明の他の実施例の斜視図である
【図４】本発明の使用図である
【符号の説明】
【０００９】１は本体
２は横軸
３は支持部
４は支持部
５は弾性のひも
６はひも留め
【図１】
2005036366.tif 000003
【図２】
2005036366.tif 000004
【図３】
2005036366.tif 000005
【図４】
2005036366.tif 000006
(57)【要約】【課題】  魚道用隔壁の重量を軽量化し、人間が着脱作業をできるようにすることである。【解決手段】  断面Ｕ字状の魚道本体１の左右側壁３，３の内面には上下方向に沿って凹溝４をそれぞれ形成してあり、左右の凹溝４，４に対して端部を着脱自在に差し込む魚道用隔壁２において、複数の板体５，６を強化プラスチックで形成し、複数の板体を凹溝４に順番に差し込むことによって上下に積み重ねて一体化することを特徴とする魚道用隔壁。【選択図】      図１
2005036503.tif 000002
【特許請求の範囲】
【請求項１】
断面Ｕ字状の魚道本体（１）の左右側壁（３，３）の内面には上下方向に沿って凹溝（４）をそれぞれ形成してあり、左右の凹溝（４，４）に対して端部を着脱自在に差し込む魚道用隔壁（２）において、
複数の板体（５，６）を強化プラスチックで形成し、複数の板体を凹溝（４）に順番に差し込むことによって上下に積み重ねて一体化することを特徴とする魚道用隔壁。
【発明の詳細な説明】
【技術分野】
【０００１】
本発明は、断面Ｕ字状の魚道本体に対して着脱自在な魚道用隔壁に関する。
【背景技術】
【０００２】
魚道は魚を遡上させるために、堰、砂防堰堤等の端に設けられるもので、そのうちプールタイプの魚道はＵ字状の魚道本体に対して隔壁を流れ方向に間隔をあけて固定した構造である。そして、従来の魚道には、魚道本体の左右に凹溝を上下方向に沿って形成し、左右の凹溝に対してプレキャストコンクリートの隔壁の左右端部を差し込んで、魚道本体に隔壁を一体化するものが存在する。
【０００３】
隔壁は左右の凹溝に対して差し込んであるので、理論的には着脱自在である。ところが、隔壁はコンクリート製品なのでその重量は大変重たかった。小さいもの、例えば１０００×１０００×２００（単位：ｍｍ）の大きさでも、５００kg程度あった。このため、現場で人間が隔壁の着脱作業を行うことは無理であり、取り付け（組立）は工場内や現場でクレーン等の大型機械を用いて行われていた。
【０００４】
ところで、魚道を使用していると、隔壁間のプールには土砂がたまってきて魚道機能が薄れてくるので、このようなときには、土砂を人間がスコップで掻き出すか、ポンプで汲み取る等の処置が従来とられており、大変な作業であった。それというのも、隔壁が重たく、人間では取り外せないからである。また、魚道は、重機の入れない箇所に作られることも多く、隔壁を取り外すということは、通常、考えられていなかった。もし、隔壁を手軽に取り外せるならば、土砂が水流で自然と流されるので、土砂の排出作業が不要になると本発明者は考えた。
【０００５】
また、魚道を使用していると、例えば洪水で隔壁が壊れることがある。しかし、隔壁は取り外せないため、新品に交換することもできず、それ故、従来は壊れたままにしておくか、隔壁を差し込んだ魚道本体ごと強制的に破壊して、現場でコンクリート打ちして作り直す等の処置がとられていた。このようなときにも、隔壁を手軽に取り外せるならば、新品の隔壁に交換できると本発明者は考えた。
【発明の開示】
【発明が解決しようとする課題】
【０００６】
本発明が解決しようとする課題は、隔壁の重量を軽量化し、人間が着脱作業をできるようにすることである。
【課題を解決するための手段】
【０００７】
本発明は、魚道用隔壁の軽量化を達成するために、複数の板体を強化プラスチックで形成したことを第一の特徴とし、複数の板体を凹溝に順番に差し込むことによって上下に積み重ねて一体化することを第二の特徴とする。
【発明の効果】
【０００８】
従来までは凹溝には１枚の隔壁を差し込むと考えられていたが、本発明では、複数枚の板体を積み重ねることによって隔壁を一体化するという斬新な発想を取り入れることで、板体自体を軽くし、その上、板体を強化プラスチックで製作することにより、一段と軽いものとしている。従って、人間が手軽に着脱作業を行うことができる。なお、強化プラスチックを用いることで、隔壁に要求される最低限の強度をも満たすことができる。
【０００９】
そして、隔壁を取り外すことによって、土砂を水流で自然と流し、土砂の排出作業を不要にできる。また、隔壁が破損すれば新品に交換でき、魚道としての機能を維持できる。さらに、交換が手軽にできるので、水量の多い時期には隔壁を外し、魚の遡上時期にのみ隔壁を取り付けるということもでき、隔壁の破損、土砂の堆積といった不具合を解消することも可能である。さらに、着脱が容易であることから、形の異なる隔壁を何種類か現場で魚道本体に実際に差し込んで、その使用結果を判断して、最適な形の隔壁を選択することもできる。
【発明を実施するための最良の形態】
【００１０】
魚道は図１に示すように、断面Ｕ字状の魚道本体１と、魚道本体１に着脱自在に差し込む隔壁２とからなる。
【００１１】
魚道本体１は図１又は図３に示すように、左右側壁３の内面の対向箇所には凹溝４を上下方向に沿ってそれぞれ形成してある。各凹溝４は隔壁２の端部を差し込みやすいように、入口側（内側）を奥側に比べて幅広に形成してある。
【００１２】
隔壁２は図１から図３に示すように、上下に分離した複数（図面では２枚）の板体５，６からなり、各板体は人間が一人又は二人で着脱可能な重量、例えば１０kg、２０kg（２０kgを越えると外す際に持ち上げることが困難）とし、強化プラスチック、例えばＦＲＰで形成する。下段側の板体５は、平板状に形成して、その両端部を凹溝４に対して上下方向に着脱可能にすると共に、着脱の手掛かり７となる抜穴を形成し、抜穴に指やフックを入れて着脱作業をしやすくしてある。また、上段側の板体６は、凹溝４への差込用に下部を平板状に形成し、上部の越流部８を上流側に向かって湾曲させると共に横幅方向全域に亘って形成し、越流部８の高さに横幅方向で差を付けてある。そして、越流部８の左側部分を高く、越流部８の右側部分を低く形成し、左側部分と右側部分の境界箇所に仕切り９を設けてある。
【００１３】
上述した隔壁２は、図１に示すように、下段用の板体５を左右の凹溝４，４に対して差し込んだ後に、上段側の板体６を同様に差し込む。このようにすることで、図２に示すように複数の板体５，６が上下に積み重なって一体化して隔壁２として機能する。また、板体５，６を引き上げて取り外すこともできる。
【００１４】
本発明は上記実施形態に限定されるものではない。例えば、隔壁２は３枚以上の板体を積み重ねて一体化するものであっても良い。また、手掛かり７は突起であっても良い。さらに、隔壁２の形も全面越流型に限らず、アイスハーバ型等の他形状であっても良い。なお、強化プラスチックを用いるので、コンクリートに比べれば自由な形に隔壁２を成形することもできる。
【図面の簡単な説明】
【００１５】
【図１】本発明の魚道用隔壁の取り付け手順を示す斜視図である。
【図２】（イ）図は魚道用隔壁の斜視図、（ロ）図は正面図、（ハ）図は右側面図である。
【図３】（イ）図は魚道用隔壁の使用状態を示す斜視図、（ロ）図はＡ−Ａ線断面図の左側部分である。
【符号の説明】
【００１６】
１  魚道本体
２  隔壁
３  側壁
４  凹溝
５，６  板体
【図１】
2005036503.tif 000003
【図２】
2005036503.tif 000004
【図３】
2005036503.tif 000005
(57)【要約】【課題】  油圧装置の液漏れによる部品交換をする場合、液が透明あるいは透明に近い状態であるため、液漏れ部品の特定が困難であった。【解決手段】  油圧装置の液漏れ箇所の特定を容易にするために、油圧装置の使用液に色を付ける。油圧装置が稼動を始めると、液漏れ箇所がヒビであったりピンホールであったり繋ぎ目であったりしても、液漏れ箇所から色の付いた液が漏れて出てくるため、目視で、容易に液漏れ箇所の特定をする事が出来る。【特許請求の範囲】
【請求項１】
液体を利用した圧力伝達装置に於ける、液漏れ箇所を確認するために液体に色を付与する手段
【発明の詳細な説明】
【発明の詳細な説明】
【技術分野】
【０００１】  本発明は、油圧装置を稼動させる油に色を付与する事により、油圧装置に於いての液漏れ箇所を特定し易くする手段である。
【背景技術】
【０００２】  従来、油圧装置に於いての液漏れは、液漏れ箇所がヒビであったりピンホールであったり繋ぎ目であったりし、且つ又、液が透明あるいは透明に近い状態であるため、その特定が難しく困難であり、液漏れ箇所の特定に多く時間が掛かっていた。
【発明を実施するための最良の形態】
【０００３】  本発明は、液漏れ箇所の特定を容易にするために、油圧装置の使用液に色を付ける手段である。  油圧装置が稼動を始めると、液漏れ箇所がヒビであったりピンホールであったり繋ぎ目であったりしても、液漏れ箇所から色の付いた液が漏れて出てくるため、目視で、容易に液漏れ箇所の特定をする事が出来る。
【発明の効果】
【０００４】  このようにすれば、液漏れのある部品あるいは液漏れ箇所を特定する事が容易になる事により、修理あるいは部品交換に掛かる時間を大幅に短縮する事が出来る。
(57)【要約】【課題】  従来のリフト式逆止弁では弁箱の面間距離（高さ）が長くなり、また部品点数が多くなり、弁箱の形状が大きくなり、重量が増大する等の問題点がある。【解決手段】上部及び下部に通水口を設けた弁箱と、弁箱に内装され、円形の弁板と弁板の中心を上下に伸びる弁棒とを設けた弁体と、弁板の周辺部下側に装着されたシートパッキンと、シートパッキンに当接する弁座と、弁箱の内壁に支持され、弁棒の下部を摺動可能に支持する上部ガイドと、弁箱の内壁に支持され、弁棒の下部を摺動可能に支持する下部ガイドと、上部ガイドと弁板との間に弾装されたスプリングとからなるチャッキバルブ。【選択図】        図１
2005036889.tif 000002
【特許請求の範囲】
【請求項１】
上部及び下部に通水口（２，３）を設けた弁箱（１）と、弁箱（１）に内装され、円形の弁板（５）と弁板（５）の中心を上下に伸びる弁棒（６）とを設けた弁体（４）と、弁板（５）の周辺部下側に装着されたシートパッキン（７）と、シートパッキン（７）に当接する弁座（８）と、弁箱（１）の内壁に支持され、弁棒（６）の下部を摺動可能に支持する上部ガイド（９）と、弁箱（１）の内壁に支持され、弁棒（６）の下部を摺動可能に支持する下部ガイド（１０）と、上部ガイド（９）と弁板（５）との間に弾装されたスプリング（１１）とからなるチャッキバルブにおいて、弁座（８）と下部ガイド（１０）を単一の部品により構成したことをを特徴とするチャッキバルブ。
【発明の詳細な説明】
【技術分野】
【０００１】
本発明は、ウォーターハンマーを防止するためにスプリングを内蔵した急閉鎖型のリフト式逆止め弁に関する。
【背景技術】
【０００２】
ウォーターハンマーを防止するためにスプリングを内蔵したリフト式逆止め弁としては図２に示す構成のものが存在する。図２において、２１は弁箱、２２は弁体、２３は弁座、２４は弁棒、２５は下部ガイド、２６は上部ガイド、２７は弁スプリング、２８は緩衝傘、２９はシートパッキン、３０はバイパス弁である。このような装置において、弁体２２の下面を加圧する水は、弁スプリング２７に抗して弁体２２を押上げ、弁体２２と弁座２３の間の環状空間を通って上方へ流れる。弁体２２下側の水流が停止した時、弁スプリング２７の弾力により弁体２２は下降し弁を閉鎖する。この時、弁体２２上側の水は下降を開始していないのでウォーターハンマーを発生しない。下部ガイド２５及び上部ガイド２６は弁体２２の偏心及び傾きを防止する。
【発明の開示】
【発明が解決しようとする課題】
【０００３】
図２に示すリフト式逆止弁においては、下部ガイド２５が弁体２２の下側に設けられているので、弁箱２１の面間距離（高さ）Ｌが長くなり、また部品点数が多くなり、弁箱２１の形状が大きくなり重量が増大する等の問題点がある。
本発明は弁箱の面間距離Ｌを短くし、更に部品点数を少なくして、上記の問題点を解消することを目的とする。
【課題を解決するための手段】
【０００４】
上部及び下部に通水口を設けた弁箱と、弁箱に内装され、円形の弁板と弁板の中心を上下に伸びる弁棒とを設けた弁体と、弁板の周辺部下側に装着されたシートパッキンと、シートパッキンに当接する弁座と、弁箱の内壁に支持され、弁棒の下部を摺動可能に支持する上部ガイドと、弁箱の内壁に支持され、弁棒の下部を摺動可能に支持する下部ガイドと、上部ガイドと弁板との間に弾装されたスプリングとからなるチャッキバルブにおいて、弁座と下部ガイドを単一の部品により構成する。
【発明の効果】
【０００５】
本発明によると、弁体の上下動を円滑迅速に行うことができるので、ウォーターハンマーの防止を円滑に行うことができる。弁座と下部ガイドを単一の部品で構成することにより部品点数が減少し、構造が簡素化される。
【発明を実施するための最良の形態】
【０００６】
本発明を図１に示した実施例に基づいて詳細に説明する。
【０００７】
１は鋳鉄、ステンレス鋼等から鋳造され、上部および下部に通水口２，３を備えた弁箱、４は円形の弁板５と弁板５の中心を上下に伸びる弁棒６とからなる弁体、７は弁板５の周辺部下側に装着されたシートパッキン、８はシートパッキン７に当接する弁座、９は弁棒６の上部を摺動可能に支持する上部ガイド、１０は弁棒６の下部を摺動可能に支持する下部ガイド、11は上部ガイド９と弁板５との間に弾装されたスプリング、１２は弁箱１に設けられたバイパス、１３はバイパス１２を開閉するバイパス弁である。
【０００８】
このような装置において、弁体４の下面を加圧する水は、スプリング１１に抗して弁体４を押上げ、弁板５のシートパッキン７と弁座８との間を通って上方へ流れる。弁体４下側の水流が停止した時、スプリング１１の弾力により弁体４は下降し弁座８を閉鎖する。この時、弁体４上側の水は下降を開始していないのでウォーターハンマーを発生しない。上部ガイド９と下部ガイド１０が弁棒６の上部および下部を案内するので、弁体４は偏心及び傾動を発生することなく、弁体４の上下動は円滑に行われる。
【図面の簡単な説明】
【０００９】
【図１】本発明チャッキバルブの実施例における縦断面図。
【図２】従来のチャッキバルブの縦断面図。
【符号の説明】
【００１０】
１      弁箱
２,３    通水口
４      弁体
５      弁板
６      弁棒
７      シートパッキン
８      弁座
９      上部ガイド
１０    下部ガイド
【図１】
2005036889.tif 000003
【図２】
2005036889.tif 000004